(57)【要約】  本発明による建築構造は、壁９、１０、１２、１３、１４、１５、１６、床または天井の形態の少なくとも１つの実質的な平面な構成要素を含み、少なくとも１つの平面な構成要素は、各々が３０°‐６０°−９０°の直角三角形の形態を有する複数の同一サイズの直角パネルＡと、各々が３０°−１２０°−３０°の二等辺三角形の形態を有する複数の同一サイズの二等辺パネルＢとを含む。本発明は、比較的小さな選択のプレハブ構成要素から構築されるが、アーキテクトに構造の設計における比較的大きな柔軟性を提供する建物１１を提供することができる。また、本発明は、大部分の構成要素間にバインダーまたは他の締結具を使用せずに建物１１を組み立てることを可能にし、したがって、建物の寿命の終わりに、または建物が改造または再建される場合に、建物の効率的な解体を支援することができる。【選択図】図２１
2019532204.tif 000002
【特許請求の範囲】
【請求項１】
壁、床又は天井の形態の少なくとも１つの実質的に平面な構成要素を含み、少なくとも１つの平面な構成要素は、各々が３０°−１２０°−３０°の二等辺三角形の形態を有する複数の同一サイズの二等辺パネルと、各々が３０°−６０°−９０°の直角三角形の形態を有する複数の同一サイズの直角パネルとを含む建築構造。
【請求項２】
前記周辺縁部を除き、前記平面な構成要素の全体は、前記複数の二等辺パネル及び直角パネルのうちの重複しないものにより構成され、実質的に埋められる、請求項１に記載の建築構造。
【請求項３】
前記直角パネルの長辺は、前記二等辺パネルの長辺の長さの約１．２倍である、請求項１または２に記載の建築構造。
【請求項４】
前記少なくとも１つの平面な構成要素は、接合剤を必要とせずに前記パネルを所定位置に保持するために隣接するパネル間に配置された連結部材をさらに備える、請求項１に記載の建築構造。
【請求項５】
各連結部材が、平面前部と、平面後部と、前部と後部との間に延びてパネルの縁部を受容するためのチャネルを画定する直交部分とを含み、チャネルの幅がパネルの厚さに実質的に等しい、請求項４に記載の建築構造。
【請求項６】
前記連結部材の前記平面前部および後部のうちの少なくとも１つは、隣接するパネル間の任意の小さな隙間を覆うように十分に延びている、請求項５に記載の建築構造。
【請求項７】
各連結部材の平面前部および後部が互いに位置合わせされている、請求項５または６に記載の建築構造。
【請求項８】
各連結部材が、隣接するパネルのそれぞれの縁部を受け入れるための２つの背中合わせのチャネルを画定する、請求項７に記載の建築構造。
【請求項９】
各連結部材の平面前部および平面後部の最も離れた先端が、３０°の角度を成すように定められている、請求項８に記載の建築構造。
【請求項１０】
各連結部材の平面前部および平面後部が台形である、請求項８または９に記載の建築構造。
【請求項１１】
形状が本質的に同一であるが、３つの異なるサイズであり、各々がパネルの縁部の１つよりもわずかに大きい最大寸法を有する３つのタイプの連結部材を含む、請求項４から１０のいずれか一項に記載の建築構造。
【請求項１２】
１つの共通タイプの連結部材を含み、それらの結合長さがパネルの縁部のそれぞれよりもわずかに大きい最大寸法を有するように、適切な倍数の連結部材が端と端とを接して配置され得る、請求項４から１０のいずれか一項に記載の建築構造。
【請求項１３】
各連結部材が、平面な構成要素の平面に直交する平面内にＩ字形断面形状を有する、請求項４から１２のいずれか一項に記載の建築構造。
【請求項１４】
各連結部材が均質であり、鋳造または成形されることによって形成される、請求項４から１３のいずれか一項に記載の建築構造。
【請求項１５】
各連結部材がコンクリートで形成されている、請求項１４に記載の建築構造。
【請求項１６】
各パネルが、２つの外側層および内側絶縁層を含む構造的に絶縁されたパネルである、先行する請求項のいずれか一項に記載の建築構造。
【請求項１７】
前記外層がコンクリートで形成されている、請求項１６に記載の建築構造。
【請求項１８】
前記絶縁層は、天然の再生可能な材料である、請求項１６または１７に記載の建築構造。
【請求項１９】
前記絶縁層が、マッシュルームボードの２つの外側絶縁層とマッシュルーム発泡体の内側層とを含む、請求項１６、１７または１８に記載の建築構造。
【請求項２０】
前記絶縁層は、円形の一部の形態で各頂点に形成された切り欠きを有し、前記少なくとも１つの平面な構成要素は、前記絶縁層と同じ厚さの絶縁材料の複数の円形ディスクをさらに含み、前記円形ディスクは、隣接するパネルの隣接する頂点間に配置される、請求項１６、１７、１８、または１９に記載の建築構造。
【請求項２１】
前記少なくとも１つの平面な構成要素の縁部を受け入れるための少なくとも１つの周辺フレームを含み、前記少なくとも１つの周辺フレームは、前記平面な構成要素を受け入れるためにまっすぐな縁部および成形された内縁部を有するように外側が成形された複数の構成要素を含む、先行する請求項のいずれか一項に記載の建築構造。
【請求項２２】
隣接するパネル間に配置された複数の連結部材と、各々が形状およびサイズにおいて隣接するパネル間に配置された連結部材の１つの半分に相当し、かつパネルの縁部上に嵌合し、パネルに滑らかな縁部を提供する複数の８縁部片とを備える、先行する請求項のいずれか一項に記載の建築構造。
【請求項２３】
建物の天井または屋根の少なくとも一部が、少なくとも１つの平面な構成要素を備える、建物の形態の、先行する請求項のいずれか一項に記載の建築構造。
【請求項２４】
建物の床の少なくとも一部が、少なくとも１つの平面な構成要素を含む、建物の形態の、先行する請求項のいずれか一項に記載の建築構造。
【請求項２５】
前記建物の少なくとも１つの壁が、前記少なくとも１つの平面な構成要素を備える、建物の形態の、先行する請求項のいずれか一項に記載の建築構造。
【請求項２６】
前記建物は、前記少なくとも１つの平面な構成要素を受け入れるように成形された周辺フレームを含み、前記周辺フレームは、２つの対向する直立コーナーピラーを含み、それらの間に前記少なくとも１つの平面な構成要素が配置される、請求項２５に記載の建築構造。
【請求項２７】
少なくとも２つの平面な構成要素を含み、前記コーナーピラーの１つが前記２つの平面な構成要素の間に配置され、前記コーナー構成要素は、前記平面な構成要素が互いに対して角度が付けられたときに、前記平面な構成要素のそれぞれの隣接する縁部を受けるように成形される、請求項２６に記載の建築構造。
【請求項２８】
前記建物は、少なくとも部分的に直交しており、直交構造の少なくとも一部を形成するために、コーナーピラーにおいて互いに角度が付けられた壁を備える複数の平面な構成要素を備える、請求項２７に記載の建築構造。
【請求項２９】
前記建物の少なくとも１つの壁が、前記壁を形成するためにパネル及び連結部材を現場で積み重ねることによって形成される、請求項２６から２８のいずれか一項に記載の建築構造。
【請求項３０】
それぞれが３０°−１２０°−３０°の二等辺三角形の形状を有する複数の同一の二等辺パネルと、それぞれが３０°−６０°−９０°の直角三角形の形状を有する複数の同一の直角パネルとから、壁、床、または天井を形成するように平面な構成要素を組み立てることを含む建物を構築する方法であって、バインダーなしに介在する連結部材を使用してパネルを組み立てることを含む、方法。
【発明の詳細な説明】
【技術分野】
【０００１】
本発明は、建築構造に関し、特に、建築家に構造体の設計に比較的大きな柔軟性を与えるように設計された、比較的小さな選択のプレハブ部品から構築された建築物に関するが、これに限定されるものではない。
【背景技術】
【０００２】
建設コストおよび時間を最小限に抑えるために、プレハブ部品から現場外で部分的に建設（組み立て）することができる建物、またはプレハブ部品から現場で建設する建物が望まれている。これは、一般的な気象条件に依存しない生産ラインベースで製造または構築され得る工場の環境において、建物の構成要素を形成する、またはセクションを構築することが、通常、より費用効果的であるからである。さらに、プレハブ部品またはセクションから形成された建物は、現場でより迅速に組み立てることができ、したがって、現場の購入またはクリアランスと新しい建物の試運転との間の時間を短縮することができる。
【０００３】
上記に加えて、環境上の理由から、建物は、解体ではなく、効率的に分解され得ることが望まれている。建物の構成要素を比較的容易に分解することができる場合、それらの構成要素が本質的に実質的に均質である場合、建物の異なる材料は、リサイクルのために比較的容易に分離することができる。
【０００４】
現場外で形成された構成要素またはセクションから建物を構築し、次いでその同じ建物を解体することができる能力は、同等の従来の建物と比較して、その建物の二酸化炭素排出量を大幅に低減することになる。
【０００５】
また、現場外での建築工法又は構築方法は、通常現場では実施することができない建築物の構成要素または部分の製造において利用することを可能にすることができる。これにより、建築物の構成要素または部分が構造的で熱絶縁性に製造することができる。
【０００６】
上記の理由のから、建物が標準的な現場外の構成要素またはセクションで構築されることが望まれるが、建物が、美観を考慮するために、また、建物が特定の目的または個人のために設計されることを可能にするために、個々の特性を示すことも望ましい。したがって、建築構造、特に、多数の標準的な構成要素またはセクションから製作することができるが、その構成要素またはセクションは、建築家が、そのような構成要素またはセクションから製作された建築物を特定の要件に合わせることを依然として可能にする建築構造、および特に建築物が必要とされている。
【発明の概要】
【発明が解決しようとする課題】
【０００７】
本発明の目的は、そのような構成要素から構築された建築構造を提供することである。
【課題を解決するための手段】
【０００８】
本発明の第１の態様によれば、壁、床、または天井の形態の少なくとも１つの実質的に平面な構成要素を含み、少なくとも１つの平面な構成要素は、各々が３０°−１２０°−３０°の二等辺三角形の形態を有する複数の同一サイズの二等辺パネルと、各々が３０°−６０°−９０°の直角三角形の形態を有する複数の同一サイズの直角パネルとを含む、建築構造が提供される。
【０００９】
用語「二等辺パネル」および「二等辺パネルズ」は、クレームを含む本明細書全体にわたって、３０°−１２０°−３０°の二等辺三角形の形態の１つまたは複数のパネルを指すために使用される。同様に、本明細書全体を通して、「直角パネル」および「直角パネルズ」という用語は、３０°−６０°−９０°の直角三角形の形態の１つまたは複数のパネルを指す。
【００１０】
直角パネルのサイズに対して二等辺パネルのサイズを適切に選択することにより、複数のパネルは、利用可能なパネルの数に応じて、図２０Ｂに示されるように、格子パターン上に無数の組み合わせの１つにレイアウトできる。パネルの寸法およびパネルの配置は、パネルの隣接する縁部が平行であり、ほぼ当接し、パネル間に最小の隙間を残すように配置されてもよい。このようにして、そのようなパネルは、壁、床、または天井などの建築構造の実質的に平面な構成要素の主要部分を形成することができ、建築家が壁、床、または天井の全体形状を設計する際に多大な自由度を与え、実質的に平面な構成要素が、３０°、６０°、９０°、１２０°、１５０°、および２４０°の角度を含む広範囲の形状を有することを可能にしている。
【００１１】
周辺エッジ部分を除いて、平面な構成要素の全体は、複数の二等辺パネルおよび直角パネルのうちの重複しないものから構成され、実質的に埋められていてもよい。このようにして、パネルは、パネルの材料を適切に選択することによって、パネルが実質的に耐候性バリアを形成し、及び／又は断熱バリアを提供することができるように、平面な構成要素の実質的に全体にわたって延在することができる。
【００１２】
２つのタイプのパネルの形状は、直角のパネルの長辺の長さが二等辺パネルの長辺の長さの約１．２倍になるように、パネルの相対サイズが選択される場合に特に良く協働する。
【００１３】
好ましくは、壁、床、または天井の形態である少なくとも１つの平面な構成要素は、パネルを一緒に保持するために、隣接するパネル間に位置する連結部材をさらに備える。隣接するパネル間に連結部材を設けることにより、固定具または結合剤を使用することなく、隣接するパネルを容易に組み立て、その後分解することができる。これは、後続の解体を大いに助けることができ、又は構造の一部を解体して構造を再構成できるようにする場合に役立つことができる。
【００１４】
好ましくは、各連結部材は、平面前部と、平面後部と、前部と後部との間に延在してパネルの縁部を受けるためのチャネルを画定する直交部分とを含み、チャネルの幅は、パネルの厚さに実質的に等しい。
【００１５】
上記の構成により、パネルをチャネル内に簡単に収めることができ、パネルまたは連結部材のいずれかにある程度の弾性があれば、パネルを連結部材内に実質的に封止することができる。さらに、連結部材の平面前部および平面後部の少なくとも一方は、隣接するパネル間の任意の小さな隙間を覆うのに十分に延在することが好ましい。したがって、パネルと連結部材との組み合わせは、少なくとも１つの平面な構成要素に耐候性外面を付与するように配置され得る。これは、特に、各連結部材が、隣接するパネルのそれぞれの縁部を受けるための２つの背中合わせのチャネルを画定する場合である。
【００１６】
各連結部材の平面前部および平面後部は、台形であることが好ましく、ダイヤモンド形状で、直交部分が、ダイヤモンド形状の長さ方向に延びていることがより好ましい。これにより、平面前部および平面後部が連結部材の端部で先細りになり、各連結部材の平面前部および平面後部が互いに妨害することなく、２つの連結部材がパネルの２つの収束縁部のそれぞれに沿って延びることが可能になる。しかしながら、それらの中間点において、各連結部材の平面前部および平面後部は、連結部材の中心線から著しく延び、それによって、パネルが支持される比較的深いチャネルを画定し、そのようなパネルおよび連結具から構成される平面な構成要素が、平面な構成を保持することを支援する。
【００１７】
平面前部および平面後部の重要な特徴は、それらの最も離れた先端または端部が、それぞれ隣接する連結部材の前部および後部と嵌合するために、３０°の角度をなすことである。したがって、台形形状は必須ではない。さらに、連結部材は、別個の前部および後部平面部分を有してもよいが、代わりに、パネルを配置するための比較的浅い溝を両側に有する押出の形態であってもよい。
【００１８】
建築構造は、形状が本質的に同一であるが、３つの異なるサイズであり、それぞれがパネルの縁部の１つよりもわずかに大きい最大寸法を有する３つのタイプの連結部材を備えていることが好ましい。
【００１９】
３つのそのようなタイプの連結部材は、各連結部材の平面前部および平面後部が隣接するパネル間のすべての隙間を覆うように、平面な構成要素の隣接するパネルの縁部のすべての組合せを接続するのに十分である。
【００２０】
上記に代わるものとして、３つの連結部材のすべての代わりに、適切な数のより小さい同一の連結部材で置き換えることができ、その結果、適切な数の単一の連結部材タイプを上記の３つの別個のタイプの代わりに使用することができる。
【００２１】
各連結部材は、好ましくは均質であり、鋳造または成形されることによって形成される。各連結部材は、オートクレーブ気泡コンクリートであってもよいコンクリートで形成されていてもよい。これは、焼却下水汚泥灰（フライアッシュ）を使用することができる。
【００２２】
好ましくは、各パネルは、耐候性であり得る２つの外層と、内部絶縁層とを含む構造的絶縁パネルである。外層は、上述のオートクレーブ気泡コンクリートのようなコンクリートで形成されていてもよい。絶縁層は、マッシュルームボードの２つの外側絶縁層と、マッシュルーム発泡体の内側層とを含むことができる。この利点は、マッシュルームボードをコンクリート上に直接成長させ、マッシュルーム発泡体をマッシュルームボード間に成長させ、プレハブ製造において追加の結合材料を使用する必要性を回避し、したがって構造の解体および再利用／リサイクルを支援することができることである。
【００２３】
絶縁層は、各頂点に形成された、円形の一部の形態の切り欠きを有してもよく、少なくとも１つの平面な構成要素は、絶縁層と同じ厚さの絶縁材料の複数の円形ディスクをさらに備え、円形ディスクは、隣接するパネルの隣接する頂点の間に配置される。
【００２４】
隣接するパネルの頂点に、または隣接する頂点間に絶縁材料の円形ディスクを設けることにより、隣接する連結部材の端部間の隙間が、隣接するパネルの頂点間の隙間と一列にならないことが保証される。さらに、円形ディスクと、このようなディスクを収容するように配置された部分円の形の切欠きとにより、ディスクに隣接し、ディスクを部分的に収容するパネル頂点の数および種類にかかわらず、単一のタイプのディスクを収容することが可能になる。
【００２５】
建築構造は、少なくとも１つの平面な構成要素の少なくとも１つの縁部を受け入れるための少なくとも１つの周辺フレームを含むことができ、少なくとも１つの周辺フレームは、真っ直ぐな縁部を有するように外側に成形され、平面な構成要素を受け入れるように内側縁部に成形された複数の構成要素を含む。
【００２６】
上記の配置は、前記少なくとも１つの平面な構成要素がフレームに収容されることを可能にし、次いで、フレームは、壁、床、天井などのための滑らかな直線縁部を提供し、その縁部は、建物、または他の建築構造の上縁部、下縁部、またはコーナーを形成するために必要である。
【００２７】
好ましくは、建築構造は、隣接するパネルと複数のエッジピースとの間に配置された複数の連結部材を含み、これらのエッジピースは、それぞれ、形状およびサイズが連結部材の１つの半分に対応し、エッジピースは、パネルのそれぞれのエッジに嵌合して、パネルに滑らかなエッジを提供する。そのようなエッジピースは、少なくとも１つの平面な構成要素にドア、窓等のための入口を形成するために使用されてもよい。
【００２８】
本発明は、建物の床の少なくとも一部分が少なくとも１つの平面な構成要素を含むか、または建物の少なくとも１つの壁が上記で言及した少なくとも１つの平面な構成要素を含む、建物の形態である建築構造に特に適用可能である。建物は、少なくとも１つの平面な構成要素を受け入れるように成形された周辺フレームを含むことができ、周辺フレームは、少なくとも１つの平面な構成要素が間に配置される２つの対向する直立コーナーピラーを含む。
【００２９】
対向する直立コーナーピラーは、接着されていないパネルおよび連結部材を所定の位置に保持するように作用し、かつ、構造体に垂直方向の剛性を提供することができる。各コーナーピラーは、建物の一つの階の高さ及び少なくとも１つの平面な構成要素の高さを垂直に延ばす単一の構成要素からなることがある。
【００３０】
好ましくは、建築構造は、少なくとも２つの平面な構成要素を含み、前記コーナーピラーのうちの１つは２つの平面な構成要素の間に配置され、コーナー構成要素は、平面な構成要素が互いに対して角度が付けられたときに、平面な構成要素のそれぞれの隣接する縁部を受けるように成形されている。
【００３１】
角度は１２０°であってもよく、その場合、６つのそのようなコーナーピラーは直交する構造を完成するが、コーナーピラーは、代替的に、隣接する平面な構成要素をある他の角度で、例えば互いに９０°で角度を付けるように配置されてもよい。
【００３２】
建物の壁は、パネルと連結部材とを端から端まで現場で積み重ねることによって形成することができる。あるいは、複数のパネルおよび連結部材を備える１つ以上の平面な構成要素を、現場外で事前に組み立ててもよい。
【００３３】
建築構造または建物は、上述のように外枠を有することができるが、代替的には、上述の平面連結部材と同様の角度付き構造の連結部材を使用して隣接する平面な構成要素を互いに対して適切な角度で接続し、別のフレームを必要とせずに壁、天井／屋根、または床の間にコーナーを形成することができる。
【００３４】
本発明の第２の態様によれば、それぞれが３０°−１２０°−３０°の二等辺三角形の形態を有する複数の同一の二等辺パネルと、それぞれが３０°−６０°−９０°の直角三角形の形態を有する複数の同一の直角パネルとから壁、床、または天井を形成するように平面な構成要素を組み立てることを含む建築物を構築する方法が提供され、この方法は、バインダーなしで介在する連結部材を使用してパネルを組み立てることを含む。
【００３５】
以下、添付図面を参照して、本発明のいくつかの実施形態を、単なる例として説明する。
【図面の簡単な説明】
【００３６】
【図１】六角形上に転置された二等辺パネル（Ｂ）を示す。
【図２】図１の六角形の異なる領域上に転置された直角パネル（Ａ）を示す。
【図３】適切な連結部材とともに、いくつかの二等辺パネル（Ｂ）および直角パネル（Ａ）が、図１および図２に示される六角形の全領域を覆うためにどのように使用され得るかを示す。
【図４】二等辺パネル（Ｂ）の斜視図である。
【図５】直角パネル（Ａ）の斜視図である。
【図６】小型の連結部材（Ｃ）の斜視図である。
【図７】中型の連結部材（Ｄ）の斜視図である。
【図８】大型の連結部材（Ｅ）の斜視図である。
【図９】コネクタディスク（Ｉ〜Ｐ）の選択の斜視図である。
【図１０】二等辺パネル（Ｂ）が、３つの連結部材および３つのコネクタディスクによってどのように縁取られ得るかを示す。
【図１１】図１０の構成要素の分解図である。
【図１２】図１０に対応する斜視図である。
【図１３】図１１に対応する斜視図である。
【図１４】直角パネル（Ａ）が、３つの連結部材および３つのコネクタディスクによってどのように縁取られ得るかを示す。
【図１５】図１４の構成要素の分解図である。
【図１６】どのように直角パネル（Ａ）および二等辺パネル（Ｂ）を互いに隣接して配置し、適切な連結部材によって接合し、適切なさらなる連結部材およびコネクタディスクを２つのパネルの周りに配置するかを示す。
【図１７】図１６の構成要素の分解図である。
【図１８】様々なパネル、連結部材、コネクタディスク、およびエッジピースがどのように一緒に配置され得るかを示す。
【図１９】図１８の構成要素の分解図である。
【図２０Ａ】グリッドパターンを生成するために六角形がどのように使用され得るかを示す。
【図２０Ｂ】図２０Ａのグリッド上に重ねられているパネルおよび連結部材を用いて生成され得る可能性のある形状のいくつかを示す。
【図２１】図１〜図１９に示された構成要素から構築された建物の形態の建築構造である。
【図２２】図２４に示される建物の可能なフロアプランを示す。
【図２３】図２４に示される建物の可能なフロアプランを示す。
【図２４】図２１に示したものと同様の複数の構造物から構築された建物の形態の建築構造である。
【図２５】図２１および２４の建物のフレームコーナーコネクタ（Ｑ）、第１のフレームコネクタ（Ｒ）、第２のフレームコネクタ（Ｔ）、および第３のフレームコネクタ（Ｕ）の斜視図である。
【図２６】図２１の建物の床および６つのフレームコーナーコネクタ（Ｑ）を示す。
【図２７】図２１の建物の屋根の予め組み立てられた平面な構成要素を示す。
【図２８】図２１の建物の後壁の予め組み立てられた平面な構成要素を示す。
【図２９】小エッジピース（Ｆ）、中エッジピース（Ｇ）および大エッジピース（Ｈ）の斜視図である。
【図３０】図２１の建物の壁の予め組み立てられた平面な構成要素を示し、図２９のエッジピースのいくつかは出入口を形成する。
【図３１】図３０と同様であるが、エッジピースが窓開口部を形成している。
【図３２】図２１の建物の壁に大きな開口を形成するために、図２９のエッジピースがどのように使用され得るかを示す。
【図３３】図２９のエッジピースのさらなる利用例を提供する。
【図３４】図２９のエッジピースのさらなる利用例を提供する。
【図３５】図３５は、本発明による正方形の建物の形態の建築構造の斜視図である。
【図３６】図３５の建物の構成要素のいくつかを示す破断斜視図である。
【図３７】前述の構成要素のそれぞれの詳細図を示す。
【図３８】前述の構成要素のそれぞれの詳細図を示す。
【図３９】前述の構成要素のそれぞれの詳細図を示す。
【図４０】前述の構成要素のそれぞれの詳細図を示す。
【図４１】前述の構成要素のそれぞれの詳細図を示す。
【図４２】前述の構成要素のそれぞれの詳細図を示す。
【図４３】前述の構成要素のそれぞれの詳細図を示す。
【図４４】前述の構成要素のそれぞれの詳細図を示す。
【図４５】前述の構成要素のそれぞれの詳細図を示す。
【図４６】前述の構成要素のそれぞれの詳細図を示す。
【図４７】前述の構成要素のそれぞれの詳細図を示す。
【図４８】前述の構成要素のそれぞれの詳細図を示す。
【図４９】前述の構成要素のそれぞれの詳細図を示す。
【発明を実施するための形態】
【００３７】
次に図１を参照すると、これは六角形１のセクション上に置き換えられた二等辺パネル（Ｂ）の形状を示す。二等辺パネル（Ｂ）の頂点は１２０°である。
【００３８】
図２は、図１と同じ六角形１上に置き換えられた３０°、６０°および９０°の頂点を有する直角パネル（Ａ）を示す。図１および図２から、二等辺パネル（Ｂ）および直角パネル（Ａ）は、実質的に六角形１の下半分全体を覆い、２つの対応するパネル（Ａ）および（Ｂ）は、図１および図２に見られるように、六角形１の上半分を覆うように配置され得ることが観察される。
【００３９】
図３において、下方部分において、直角パネル（Ａ）および二等辺パネル（Ｂ）は、図１および図２の六角形上に置き換えられた場合にそれらが実質的に六角形１を覆うように、図の上方部分において同様に配置された別の２つのパネル（Ａ）および（Ｂ）と共に示されるように、互いに隣接して配置される。
【００４０】
図３は、さらに、図６、図７および図８の斜視図にそれぞれ示される３つの異なるサイズの連結部材（Ｃ）、（Ｄ）および（Ｅ）が、直角パネル（Ａ）と二等辺パネル（Ｂ）との間およびその周りにどのように配置され得るかを、パネル（Ａ）および（Ｂ）の頂点に位置する６つのコネクタディスク（Ｉ）とともに示し、その結果、図示されるすべての構成要素は、概ね２として示される平面な構成要素を同時に形成し、後述するように、本発明に従って建物を形成し得る。
【００４１】
図４および図５に関して、これらは、それぞれ直角パネル（Ａ）および二等辺パネル（Ｂ）の斜視図である。まず、図４の直角パネル（Ａ）を参照すると、これは、成形されたオートクレーブ気泡コンクリートの２つの外層３，４を含み、それらの間には、概ね５で示される絶縁層がある。絶縁層自体は、ＭｙｃｏＢｏａｒｄ（登録商標）の２つの外層６および７を含み、これは、ＭｙｃｏＢｏａｒｄ（登録商標）層６と７との間に成長したＭｙｃｏＦｏａｍ（登録商標）層８を有するコンクリート層３および４上に成長する。絶縁層５は、後述するように、図３の接続ディスク（Ｉ）を収容するために、二等辺パネル（Ａ）の頂点の領域で切り取られている。
【００４２】
図５を参照すると、直角パネル（Ｂ）は、図４の二等辺パネル（Ａ）と同じ構造を有し、対応する構成要素は、図４と同様にラベル付けされている。
【００４３】
図６、図７および図８に関して、これらは、図３を参照して前述した小型（Ｃ）、中型（Ｄ）および大型（Ｅ）の連結部材の斜視図を示している。これらはそれぞれ、パネル（Ａ）および（Ｂ）と同じ幅のＩ字形断面によって画定される対向するチャネルを有するＩ字形断面を有し、パネル（Ａ）および（Ｂ）は、連結部材（Ｃ）、（Ｄ）および（Ｅ）に押し込まれている。連結部材（Ｃ）、（Ｄ）および（Ｅ）は、直角パネル（Ａ）または二等辺パネル（Ｂ）のいずれかの側面の１つの長さに実質的に対応する長さ方向の最大寸法を有する。
【００４４】
図６、図７および図８の各連結部材（Ｃ）、（Ｄ）、（Ｅ）は、前部および後部のダイヤモンド形状の平面部分を含み、それらの間に延びる直交部分を有する。この直交部分は、図３の接続ディスク（Ｉ）を収容するために、端部に向かって切り取られている。
【００４５】
図９に関し、これは、接続ディスク（Ｉ）のうちの１つおよび７つの他の部分接続ディスクの斜視図を示し、４分の３ディスク（Ｊ）、半ディスク（Ｋ）、３０°の角度のディスク（Ｌ）、６０°の角度のディスク（Ｍ）、１２０°の角度のディスク（Ｎ）、１５０°の角度のディスク（Ｏ）、および２４０°の角度のディスク（Ｐ）を含む。これらの部分ディスク（Ｊ）〜（Ｐ）の機能は、以下の図面の説明を参照することによって明らかになるであろう。全ての接続ディスクは、絶縁材料で形成されている。
【００４６】
図１０を参照すると、これは、二等辺パネル（Ｂ）が、図７の中型の連結部材（Ｄ）、図６の２つの小型の連結部材（Ｃ）、および３つの接続ディスク（Ｉ）によってどのように結合し得るかを示す。これらの構成要素は、図１１の分解図および斜視図１２および１３に示され、図１２および１３は、おそらく、連結部材のチャネルに二等辺パネル（Ｂ）がどのように入るかを最も明確に示している。
【００４７】
図１４および１５は、それぞれ図１０および図１１に対応するが、直角パネル（Ａ）に接する連結部材および接続ディスクを示す。
【００４８】
図１６および図１７は、図１４および図１５の図に類似しているが、二等辺パネル（Ｂ）に隣接する直角パネル（Ａ）を示し、その間に介在する連結部材（Ｄ）を有する。
【００４９】
図１８および図１９を参照すると、これらは図１６および図１７と同様であるが、より多くの構成要素を含むより複雑な構造を示す。図１８に示す構造のうちの２つは、一方が他方の上に反転され、図３３に示す平面壁部品９をもたらし、以下に説明する図２１に示す建物の右側の壁を形成する。
【００５０】
図１８および図１９は、それぞれが中型の連結部材（Ｄ）の１つの半分に本質的に対応する中型のエッジピース（Ｇ）の形態の追加の構成要素を開示する。これらは、図３３に示される窓の開口部のためのストレートエッジ部を提供するために使用される。図１８および図１９はまた、１５０°の角度のコネクタディスク（Ｏ）の使用を図示する。これは、完全なコネクタディスク（Ｉ）が代わりに使用される場合に必要であり、窓の領域内に広がる（図１８参照）。
【００５１】
ここで図２０Ａを参照すると、これは、六角形の頂点と交差する外挿線、次にこれらの線の交点と交差する外挿線によって、格子パターンがどのように得られるかを示している。次に、図２０Ｂは、前述の構成要素から形成された様々な形状の構造が、図２０Ａのグリッド上にどのように重ね合わされ得るかを示す。
【００５２】
次に図２１を参照すると、概ね１１で示す建物の形態の本発明による建築構造が示されている。八角形構造は、平面図において、前述の部品から構成するのが最も簡単なものの１つである。しかしながら、図２２のグランドフロアプラン、図２３の上部フロアプラン、および図２４に全体的に１２として示される建物の斜視図から、図２１に示される建物１１が、例えば図２４に示されるような、より大きな建物の主要モジュールとしてどのように使用され得るかが理解されるであろう。
【００５３】
再び図２１の建物１１を参照すると、これは、平面六角形構成要素を含む床および屋根を有し、これは、前述の構成要素から、または開放屋根構造１２の場合には、同様の構成要素から、事前に組み立てられてもよい。建物１１は、さらに、いくつかのスタイルの壁パネル９、１３、１４、１５、１６、および１７を備える（パネル１５、１６、および１７は見えないが、図２４の建物１２または図３５の建物１８に見ることができ、これについては後述する）。右側の壁パネル９の構造は、図１８、図１９及び図３３を参照して前述した。他の壁パネル１３〜１７も同様に構成されている。しかしながら、図２１から理解されるように、図２１の建物１１は、平面屋根および床および壁パネルに加えて、６つのコーナーコネクタ（Ｑ）を含み、図２１ではそのうちの４つのみが見られる。図２５の斜視図にはこれらのうちの１つが示され、図２１の建物１１の上部および底部外縁を形成するいくつかのタイプのフレームコネクタ（Ｒ）、（Ｔ）および（Ｕ）もまた、図２５の斜視図に示される。
【００５４】
図２６は、６つのフレームコーナーコネクタ（Ｑ）がフロアパネル１０の周りにどのように配置され得るかを示す。また、図２６から、図２５の様々なフレームコネクタ（Ｔ）、（Ｒ）および（Ｕ）が、図２１に示される建物１１の構造を提供するために、どのようにしてフレームの下側および上側周囲の周りに配置され得るかが理解される。壁パネルが現場で構築されない限り、事前に組み立てられた壁パネルは、フレームコーナーコネクタ（Ｑ）が所定の位置に組み立てられると同時に挿入される必要がある。
【００５５】
図２７を参照すると、図２１に示した建物の屋根パネル１２が示されており、図２８は、図３５の建物１８の完全に囲まれた後壁パネル１６を示している。
【００５６】
図２９は、壁パネル９、１３、１４、１５、および１７の開口部の境界を定めるために使用される小エッジピース（Ｆ）、中エッジピース（Ｇ）、および大エッジピース（Ｈ）の斜視図を示し、これらのパネルは、図３０〜３４のそれぞれの図においてより詳細に示されている。
【００５７】
これまでは、それぞれが六角形構造を備える建物１１および２４のみが言及されてきた。しかしながら、本発明は、他の形状の建物、例えば、図３５に全体を１８で示す正方形の建物にも等しく適用可能であり、これは、図３６に部分的に組み立てられて示されている。
【００５８】
これまでに説明した様々な構成要素は、図３７〜図４９のそれぞれにおいてより詳細に見ることができる。これらの図に示される寸法は、単なる例であり、前述の特定の構造に適している。しかし、これらの同じ構造であっても、すべての構成要素の寸法を拡大または縮小することができることを理解されたい。
【００５９】
本発明のいくつかの例を単なる例として説明したが、以下の特許請求の範囲によって定義されるように、本発明の範囲内に包含される多くの修正および変形がなされ得ることが理解されるであろう。
【図１】
2019532204.tif 000003
【図２】
2019532204.tif 000004
【図３】
2019532204.tif 000005
【図４】
2019532204.tif 000006
【図５】
2019532204.tif 000007
【図６】
2019532204.tif 000008
【図７】
2019532204.tif 000009
【図８】
2019532204.tif 000010
【図９】
2019532204.tif 000011
【図１０】
2019532204.tif 000012
【図１１】
2019532204.tif 000013
【図１２】
2019532204.tif 000014
【図１３】
2019532204.tif 000015
【図１４】
2019532204.tif 000016
【図１５】
2019532204.tif 000017
【図１６】
2019532204.tif 000018
【図１７】
2019532204.tif 000019
【図１８】
2019532204.tif 000020
【図１９】
2019532204.tif 000021
【図２０Ａ】
2019532204.tif 000022
【図２０Ｂ】
2019532204.tif 000023
【図２１】
2019532204.tif 000024
【図２２】
2019532204.tif 000025
【図２３】
2019532204.tif 000026
【図２４】
2019532204.tif 000027
【図２５】
2019532204.tif 000028
【図２６】
2019532204.tif 000029
【図２７】
2019532204.tif 000030
【図２８】
2019532204.tif 000031
【図２９】
2019532204.tif 000032
【図３０】
2019532204.tif 000033
【図３１】
2019532204.tif 000034
【図３２】
2019532204.tif 000035
【図３３】
2019532204.tif 000036
【図３４】
2019532204.tif 000037
【図３５】
2019532204.tif 000038
【図３６】
2019532204.tif 000039
【図３７】
2019532204.tif 000040
【図３８】
2019532204.tif 000041
【図３９】
2019532204.tif 000042
【図４０】
2019532204.tif 000043
【図４１】
2019532204.tif 000044
【図４２】
2019532204.tif 000045
【図４３】
2019532204.tif 000046
【図４４】
2019532204.tif 000047
【図４５】
2019532204.tif 000048
【図４６】
2019532204.tif 000049
【図４７】
2019532204.tif 000050
【図４８】
2019532204.tif 000051
【図４９】
2019532204.tif 000052
【国際調査報告】
2019532204.tif 000053
2019532204.tif 000054